(57)【要約】【課題】要求負荷が小さい状態においても安定して蒸気供給が可能なボイラシステムを提供すること。【解決手段】蒸気を生成する複数のボイラ２０と、ボイラ２０により生成された蒸気が集合する蒸気ヘッダ６の内部の蒸気圧力に基いてボイラ２０の燃焼状態を制御する制御部４と、を備えるボイラシステム１であって、制御部４は、全てのボイラ２０が燃焼停止した状態において、蒸気圧力が起動圧力Ｐ２を下回った場合に、１台目のボイラ２０に燃焼指示を出す第１燃焼指示部４１と、１台目のボイラ２０に燃焼指示が出されてから第１の時間の間、１台目のボイラ２０による蒸気供給が開始されなかった場合に２台目のボイラ２０に燃焼指示を出す第２燃焼指示部４２と、２台目のボイラ２０に燃焼指示が出された後に蒸気圧力が上昇し始めた場合に、２台目のボイラ２０に対する燃焼指示を取り消す取消指示部４３と、を備える。【選択図】図４
2015140974.tif 000002
【特許請求の範囲】
【請求項１】
蒸気を生成する複数のボイラと、該複数のボイラにより生成された蒸気が集合する蒸気ヘッダと、該蒸気ヘッダの内部の蒸気圧力に基いて前記複数のボイラの燃焼状態を制御する制御部と、を備えるボイラシステムであって、
前記制御部は、
前記複数のボイラが全て燃焼停止した状態において、前記蒸気圧力が第１閾値を下回った場合に、１台目のボイラに燃焼指示を出す第１燃焼指示部と、
前記１台目のボイラに燃焼指示が出されてから第１の時間の間、該１台目のボイラによる蒸気供給が開始されなかった場合に２台目のボイラに燃焼指示を出す第２燃焼指示部と、
前記第２燃焼指示部により前記２台目のボイラに燃焼指示が出された後に前記蒸気圧力が上昇し始めた場合に、該２台目のボイラに対する燃焼指示を取り消す取消指示部と、を備えるボイラシステム。
【請求項２】
蒸気を生成する複数のボイラと、該複数のボイラにより生成された蒸気が集合する蒸気ヘッダと、該蒸気ヘッダの内部の蒸気圧力に基いて前記複数のボイラの燃焼状態を制御する制御部と、を備えるボイラシステムであって、
前記制御部は、
前記複数のボイラが全て燃焼停止した状態において、前記蒸気圧力が第１閾値を下回った場合に、１台目のボイラに燃焼指示を出す第１燃焼指示部と、
前記１台目のボイラに燃焼指示が出されてから、前記蒸気圧力が所定圧力を下回った場合に、２台目のボイラに燃焼指示を出す第２燃焼指示部と、
前記第２燃焼指示部により前記２台目のボイラに燃焼指示が出された後に前記蒸気圧力が上昇し始めた場合に、該２台目のボイラに対する燃焼指示を取り消す取消指示部と、を備えるボイラシステム。
【請求項３】
前記取消指示部は、前記２台目のボイラに燃焼指示が出された後、第２の時間が経過するまでに前記蒸気圧力が上昇し始めた場合に、該２台目のボイラに対する燃焼指示を取り消す請求項１又は２に記載のボイラシステム。
【発明の詳細な説明】
【技術分野】
【０００１】
本発明は、複数のボイラと、これら複数のボイラの燃焼状態を制御する制御部と、を備えるボイラシステムに関する。
【背景技術】
【０００２】
従来、複数のボイラと、これら複数のボイラの燃焼状態を制御する制御部と、を備えるボイラシステムでは、複数のボイラの燃焼パターンを設定することで、要求される負荷が変動した場合における複数のボイラの燃焼状態を制御している（例えば、特許文献１参照）。
【０００３】
このようなボイラシステムにおいて、複数のボイラの燃焼状態は、複数のボイラで生成された蒸気が集合する蒸気ヘッダにおいて測定される蒸気の圧力（蒸気圧力）により制御される。即ち、要求される負荷が増加した場合には、蒸気の使用量が増加するので、蒸気ヘッダにおいて測定される蒸気圧力は低下する。すると、ボイラシステムは、低下した蒸気圧力に対応して燃焼を開始するように設定された所定のボイラを起動させる。そして、蒸気の生成量が増加して、蒸気ヘッダにおいて測定される蒸気圧力が上昇した場合には、ボイラシステムは、燃焼しているボイラを停止させて蒸気の生成量を減少させる。
【先行技術文献】
【特許文献】
【０００４】
【特許文献１】特開平１１−２７０８０１号公報
【発明の概要】
【発明が解決しようとする課題】
【０００５】
ところで、ボイラシステムにおいて、要求負荷が小さい状態が継続すると、複数のボイラ全ての燃焼が停止される場合が生じる。全てのボイラの燃焼が停止すると、蒸気ヘッダにおいて測定される蒸気圧力は低下していく。そして、蒸気圧力が所定の閾値を下回ると１台目のボイラに燃焼指示が出される。しかしながら、燃焼停止状態にあったボイラに燃焼指示が出された場合、燃焼指示を受けてから蒸気供給を開始するまでには、一定の時間を必要とする。
即ち、燃焼停止状態にあるボイラに燃焼指示が出された場合、まず、ボイラは、プレパージを行ってボイラの内部に残存する燃料の未燃焼成分を除去する。そして、プレパージが完了した後に、燃料を燃焼させて蒸気の生成を開始する。
【０００６】
そのため、このような場合には、蒸気ヘッダの圧力が更に低下することで、２台目や３台目のボイラにも燃焼指示が出される。このように、要求負荷が小さいにもかかわらず、２台目や３台目のボイラに燃焼指示が出された場合には、安定的な蒸気供給を行うことが困難になってしまう。
【０００７】
従って、本発明は、要求負荷が小さい状態においても安定して蒸気供給が可能なボイラシステムを提供することを目的とする。
【課題を解決するための手段】
【０００８】
本発明は、蒸気を生成する複数のボイラと、該複数のボイラにより生成された蒸気が集合する蒸気ヘッダと、該蒸気ヘッダの内部の蒸気圧力に基いて前記複数のボイラの燃焼状態を制御する制御部と、を備えるボイラシステムであって、前記制御部は、前記複数のボイラが全て燃焼停止した状態において、前記蒸気圧力が第１閾値を下回った場合に、１台目のボイラに燃焼指示を出す第１燃焼指示部と、前記１台目のボイラに燃焼指示が出されてから第１の時間の間、該１台目のボイラによる蒸気供給が開始されなかった場合に２台目のボイラに燃焼指示を出す第２燃焼指示部と、前記第２燃焼指示部により前記２台目のボイラに燃焼指示が出された後に前記蒸気圧力が上昇し始めた場合に、該２台目のボイラに対する燃焼指示を取り消す取消指示部とを備えるボイラシステムに関する。
【０００９】
また、本発明は、蒸気を生成する複数のボイラと、該複数のボイラにより生成された蒸気が集合する蒸気ヘッダと、該蒸気ヘッダの内部の蒸気圧力に基いて前記複数のボイラの燃焼状態を制御する制御部と、を備えるボイラシステムであって、前記制御部は、前記複数のボイラが全て燃焼停止した状態において、前記蒸気圧力が第１閾値を下回った場合に、１台目のボイラに燃焼指示を出す第１燃焼指示部と、前記１台目のボイラに燃焼指示が出されてから、前記蒸気圧力が所定圧力を下回った場合に、２台目のボイラに燃焼指示を出す第２燃焼指示部と、前記第２燃焼指示部により前記２台目のボイラに燃焼指示が出された後に前記蒸気圧力が上昇し始めた場合に、該２台目のボイラに対する燃焼指示を取り消す取消指示部と、を備えるボイラシステムに関する。
【００１０】
この場合において、前記取消指示部は、前記２台目のボイラに燃焼指示が出された後、第２の時間が経過するまでに前記蒸気圧力が上昇し始めた場合に、該２台目のボイラに対する燃焼指示を取り消すこととしてもよい。
【発明の効果】
【００１１】
本発明によれば、要求負荷が小さい状態においても安定した蒸気供給を実現することができる。
【図面の簡単な説明】
【００１２】
【図１】本発明の一実施形態のボイラシステムの概略を示す図である。
【図２】ボイラ群の概略を示す図である。
【図３】制御部の構成を示す機能ブロック図である。
【図４】蒸気圧力と燃焼指示の取り消しとの関係を示す図である。
【発明を実施するための形態】
【００１３】
以下、本発明のボイラシステムの好ましい実施形態について、図面を参照しながら説明する。
まず、本発明のボイラシステム１の全体構成につき、図１を参照しながら説明する。ボイラシステム１は、複数（５台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する制御部４を有する台数制御装置３と、を備える。
【００１４】
ボイラ群２は、蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００１５】
蒸気圧センサ７は、信号線１３を介して、台数制御装置３に電気的に接続されている。蒸気圧センサ７は、蒸気ヘッダ６の内部の蒸気圧力（ボイラ群２で発生した蒸気の圧力）を測定し、測定した蒸気圧力に係る信号（蒸気圧力信号）を、信号線１３を介して台数制御装置３に送信する。
【００１６】
台数制御装置３は、信号線１６を介して、複数のボイラ２０と電気的に接続されている。この台数制御装置３は、蒸気圧センサ７により測定される蒸気ヘッダ６の内部の蒸気圧力に基づいて、各ボイラ２０の燃焼状態を制御する。台数制御装置３の詳細については、後述する。
【００１７】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧力の変動を、蒸気圧センサ７が測定する蒸気ヘッダ６の内部の蒸気圧力（物理量）に基づいて算出し、ボイラ群２を構成する各ボイラ２０の燃焼状態を制御する。
【００１８】
具体的には、蒸気使用設備１８の需要の増大により要求負荷（蒸気消費量）が増加し、蒸気ヘッダ６に供給される蒸気量（後述の出力蒸気量）が不足すれば、蒸気ヘッダ６の内部の蒸気圧力が低下することになる。一方、蒸気使用設備１８の需要の低下により要求負荷（蒸気消費量）が減少し、蒸気ヘッダ６に供給される蒸気量が過剰になれば、蒸気ヘッダ６の内部の蒸気圧力が上昇することになる。従って、ボイラシステム１は、蒸気圧センサ７により測定された蒸気圧力の変動に基づいて、要求負荷の変動をモニターすることができる。そして、ボイラシステム１は、蒸気ヘッダ６の蒸気圧力に基づいて、蒸気使用設備１８の消費蒸気量（要求負荷）に応じて必要とされる蒸気量である必要蒸気量を算出する。
【００１９】
ここで、本実施形態のボイラシステム１を構成する複数のボイラ２０について説明する。図２は、本実施形態に係るボイラ群２の概略を示す図である。
本実施形態のボイラ２０は、燃焼率を連続的に変更して燃焼可能な比例制御ボイラからなる。
比例制御ボイラとは、少なくとも、最小燃焼状態Ｓ１（例えば、燃焼率の２０％の燃焼状態）から最大燃焼状態Ｓ２の範囲で、燃焼率が連続的に制御可能とされているボイラである。比例制御ボイラは、例えば、燃料をバーナに供給するバルブや、燃焼用空気を供給するバルブの開度（燃焼比）を制御することにより、燃焼率を調整するようになっている。
【００２０】
また、燃焼率を連続的に制御するとは、後述のローカル制御部２２における演算や信号がデジタル方式とされて段階的に取り扱われる場合（例えば、ボイラ２０の出力（燃焼率）が１％刻みで制御される場合）であっても、事実上連続的に出力を制御可能な場合を含む。
【００２１】
本実施形態では、ボイラ２０の燃焼停止状態Ｓ０と最小燃焼状態Ｓ１との間の燃焼状態の変更は、ボイラ２０（バーナ）の燃焼をオン／オフすることで制御される。そして、最小燃焼状態Ｓ１から最大燃焼状態Ｓ２の範囲においては、燃焼率が連続的に制御可能となっている。
より具体的には、複数のボイラ２０それぞれには、変動可能な蒸気量の単位である単位蒸気量Ｕが設定されている。これにより、ボイラ２０は、最小燃焼状態Ｓ１から最大燃焼状態Ｓ２の範囲においては、単位蒸気量Ｕ単位で、蒸気量を変更可能となっている。
【００２２】
単位蒸気量Ｕは、ボイラ２０の最大燃焼状態Ｓ２における蒸気量（最大蒸気量）に応じて適宜設定できるが、ボイラシステム１における出力蒸気量の必要蒸気量に対する追従性を向上させる観点から、ボイラ２０の最大蒸気量の０．１％〜２０％に設定されることが好ましく、１％〜１０％に設定されることがより好ましい。
なお、出力蒸気量とは、ボイラ群２により出力される蒸気量を示し、この出力蒸気量は、複数のボイラ２０それぞれから出力される蒸気量の合計値により表される。
【００２３】
また、複数のボイラ２０には、それぞれ優先順位が設定されている。優先順位は、燃焼指示や燃焼停止指示を行うボイラ２０を選択するために用いられる。優先順位は、例えば整数値を用いて、数値が小さいほど優先順位が高くなるよう設定することができる。図２に示すように、ボイラ２０の１号機〜５号機のそれぞれに「１」〜「５」の優先順位が割り当てられている場合、１号機の優先順位が最も高く、５号機の優先順位が最も低い。この優先順位は、通常の場合、後述の制御部４の制御により、所定の時間間隔（例えば、２４時間間隔）で変更される。
【００２４】
以上のボイラ２０は、図１に示すように、燃焼が行われるボイラ本体２１と、ボイラ２０の燃焼状態を制御するローカル制御部２２と、を備える。
ローカル制御部２２は、要求負荷に応じてボイラ２０の燃焼状態を変更させる。具体的には、ローカル制御部２２は、信号線１６を介して台数制御装置３から送信される台数制御信号に基づいて、ボイラ２０の燃焼状態を制御する。
また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータが挙げられる。
【００２５】
次に、台数制御装置３の詳細について説明する。
台数制御装置３は、蒸気圧センサ７からの蒸気圧力信号に基づいて、要求負荷に応じたボイラ群２の必要燃焼量、及び必要燃焼量に対応する各ボイラ２０の燃焼状態を算出し、各ボイラ２０（ローカル制御部２２）に台数制御信号を送信する。この台数制御装置３は、図１に示すように、記憶部５と、制御部４と、を備える。
【００２６】
記憶部５は、台数制御装置３（制御部４）の制御により各ボイラ２０に対して行われた指示の内容や、各ボイラ２０から受信した燃焼状態等の情報、複数のボイラ２０の優先順位の設定の情報、優先順位の変更（ローテーション）に関する設定の情報等を記憶する。
【００２７】
制御部４は、信号線１６を介して各ボイラ２０に各種の指示を行ったり、各ボイラ２０から各種のデータを受信したりして、５台のボイラ２０の燃焼状態や優先順位を制御する。各ボイラ２０は、台数制御装置３から燃焼状態の変更指示の信号を受けると、その指示に従って当該ボイラ２０を制御する。
【００２８】
ここで、蒸気使用設備１８の消費蒸気量（要求負荷）が減少すると、蒸気ヘッダ６の内部の蒸気圧力が上昇するため、制御部４は、ボイラ２０の燃焼量を低下し、蒸気ヘッダ６に供給する蒸気量を減少する。このとき、他のボイラ２０の燃焼を停止し１台のボイラ２０のみを最小燃焼状態Ｓ１で燃焼させているにも関わらず蒸気ヘッダ６の内部の蒸気圧力が上昇するほど要求負荷が小さい状態が継続すると、制御部４は、蒸気ヘッダ６の蒸気圧力の上昇を抑制するために全てのボイラ２０の燃焼を停止する。
【００２９】
全てのボイラ２０の燃焼が停止すると、その後、蒸気ヘッダ６の内部の蒸気圧力が低下するため、制御部４は、蒸気圧力が所定の閾値を下回ると１台目のボイラ２０に燃焼指示を出し、燃焼を開始させる。しかしながら、燃焼停止状態Ｓ０にあったボイラ２０に燃焼指示が出された場合、燃焼指示を受けてから蒸気供給を開始するまでには一定の時間を必要とするため、この一定の時間の間に蒸気圧力が更に低下すると、制御部４は、２台目や３台目のボイラ２０にも燃焼指示を出すことになる。
【００３０】
一方、要求負荷が１台のボイラ２０で対応できるほど小さいため、１台目のボイラ２０に加え、２台目や３台目のボイラ２０を燃焼させることは、蒸気ヘッダ６の圧力安定性の観点から好ましくない。そこで、本実施形態の制御部４は、１台目のボイラ２０が蒸気供給可能になるまでに２台目や３台目のボイラ２０に出された燃焼指示を、一定の条件の下に取り消すこととしている。
具体的には、図３に示すように、制御部４は、第１燃焼指示部４１と、第２燃焼指示部４２と、取消指示部４３と、を含んで構成される。なお、図３は、制御部４の構成を示す機能ブロック図である。
【００３１】
第１燃焼指示部４１は、全てのボイラ２０が燃焼停止した状態において、蒸気ヘッダ６の内部の蒸気圧力が第１閾値を下回った場合に、最も優先順位の高いボイラ２０（１台目のボイラ２０）に燃焼指示を出す。即ち、第１燃焼指示部４１は、全てのボイラ２０の燃焼を停止したことに伴い、蒸気ヘッダ６の内部の蒸気圧力が低下すると、１台目のボイラ２０に対して燃焼指示を出す。
なお、第１閾値は、任意に設定することができるが、燃焼指示を出してから実際に１台目のボイラ２０が蒸気供給可能になるまでには時間がかかることから、ボイラシステム１に設定された目標圧力よりも高く設定することが好ましい。
【００３２】
第２燃焼指示部４２は、１台目のボイラ２０に燃焼指示が出されてから第１の時間の間、該１台目のボイラ２０による蒸気供給が開始されなかった場合に、優先順位が次に高いボイラ２０（２台目のボイラ２０）に燃焼指示を出す。即ち、第２燃焼指示部４２は、１台目のボイラ２０に燃焼指示を出したにも関わらず、蒸気ヘッダ６の内部の蒸気圧力の低下が継続している場合に、２台目のボイラ２０に対して燃焼指示を出す。
なお、第１の時間は、任意に設定するものとする。また、１台目のボイラ２０が蒸気供給を開始したか否かの判定は、任意に行うことができ、一例として、第２燃焼指示部４２は、１台目のボイラ２０のローカル制御部２２からプレパージ等が完了し蒸気供給が可能になった旨の通知を受けることを条件に、１台目のボイラ２０が蒸気供給を開始したことを判定することとしてもよく、また、蒸気ヘッダ６の内部の蒸気圧力の変動に基づいて（即ち、蒸気圧力が上昇することに基づいて）１台目のボイラ２０が蒸気供給を開始したことを判定することとしてもよい。
【００３３】
このように、蒸気ヘッダ６の内部の蒸気圧力の変動に基づいて１台目のボイラ２０の蒸気供給開始を判定できるため、第２燃焼指示部４２は、時間を見ることなく蒸気ヘッダ６の内部の蒸気圧力に基づいて２台目のボイラ２０に対して燃焼指示を出すこととしてもよい。即ち、第２燃焼指示部４２は、第１の時間が経過したか否かに関わらず、１台目のボイラ２０に燃焼指示が出されてから蒸気ヘッダ６の内部の蒸気圧力が所定圧力よりも低くなると、２台目のボイラ２０に対して燃焼指示を出すこととしてもよい。
なお、所定圧力は、任意に設定することができ、一例として、ボイラシステム１に設定された目標圧力よりも低く設定することができる。また、所定圧力は、フィードバック制御により新たなボイラ２０に対して燃焼指示を出すことになる圧力値であってもよい。このようなフィードバック制御による圧力値では、圧力の変動態様によって新たなボイラ２０に対して燃焼指示を出すことになる圧力が異なることになる。そのため、所定圧力は、予め設定された圧力値（固定）であってもよく、また、所定の演算により算出される圧力値（変動）であってもよい。
【００３４】
取消指示部４３は、第２燃焼指示部４２により２台目のボイラ２０に燃焼指示が出された後に蒸気ヘッダ６の内部の蒸気圧力が上昇し始めた場合に、２台目のボイラ２０に対する燃焼指示を取り消す。即ち、第２燃焼指示部４２は、１台目のボイラ２０が蒸気供給可能になった場合に、２台目のボイラ２０の燃焼が不要であるため、２台目のボイラ２０に対する燃焼指示を取り消す。
ここで、取消指示部４３は、蒸気ヘッダ６の内部の蒸気圧力が上昇し始めるタイミングによっては、２台目のボイラ２０に対する燃焼指示を取り消すことなく、２台目のボイラ２０の燃焼を継続させることとしてもよい。即ち、取消指示部４３は、２台目のボイラ２０に燃焼指示が出された後、第２の時間が経過するまでに蒸気圧力が上昇し始めた場合に、２台目のボイラ２０に対する燃焼指示を取り消す。なお、第２の時間は、任意に設定することができ、例えば、２台目のボイラ２０がプレパージ等に要する時間であってもよく、また、２台目のボイラ２０が蒸気供給可能になるのに要する時間であってもよい。これにより、２台目のボイラ２０が既に燃焼開始してしまった後や燃焼開始のための準備が終了した後等に、２台目のボイラ２０に対する燃焼指示を取り消すことがなく、２台目のボイラ２０の発停が徒に繰り返されることを防止できる。
【００３５】
続いて、図４を参照して、取消指示部４３による燃焼指示の取り消しの概要を説明する。図４は、蒸気ヘッダ６の内部の蒸気圧力と燃焼指示の取り消しとの関係を示す図である。
なお、図４において、縦軸のヘッダ圧力は、蒸気ヘッダ６の内部の蒸気圧力を示す。また、図４において、第１ボイラとは、１台目のボイラ２０を示し、圧力Ｐ１は、他のボイラ２０が燃焼を停止している状態で１台目のボイラ２０の燃焼を停止する待機圧力を示し、圧力Ｐ２は、全てのボイラ２０が燃焼を停止している状態で１台目のボイラ２０の燃焼を開始する起動圧力（第１閾値）を示す。
【００３６】
時間Ｔ１において、蒸気ヘッダ６の内部の蒸気圧力が圧力Ｐ１（待機圧力）まで上昇している。このとき、１台目のボイラ２０のみが燃焼している場合、制御部４は、１台目のボイラ２０の燃焼を停止し、待機させる。これにより、全てのボイラ２０が燃焼を停止する。
【００３７】
全てのボイラ２０の燃焼が停止したため、その後、蒸気ヘッダ６の内部の蒸気圧力が低下する。時間Ｔ２では、蒸気圧力が圧力Ｐ２（起動圧力）まで低下したため、制御部４（第１燃焼指示部４１）は、１台目のボイラ２０に対して燃焼指示を出す。この燃焼指示に伴い、１台目のボイラ２０は、燃焼を開始する。具体的には、１台目のボイラ２０は、プレパージを行ってボイラの内部に残存する燃料の未燃焼成分を除去し、プレパージが完了した後に、燃料を燃焼させて蒸気の生成を開始する。
【００３８】
燃焼指示の後も１台目のボイラ２０から蒸気ヘッダ６に蒸気が供給されるまでの間は、蒸気ヘッダ６の内部の蒸気圧力が低下し続ける。そして、燃焼指示を行った時間Ｔ２から第１の時間が経過した時間Ｔ３までに蒸気ヘッダ６の内部の蒸気圧力が上昇しない場合、制御部４（第２燃焼指示部４２）は、２台目のボイラ２０に対して燃焼指示を出す。
なお、上述のように燃焼指示を行ってからの時間ではなく、蒸気ヘッダ６の内部の蒸気圧力に基づいて２台目のボイラ２０に対して燃焼指示を出す場合、時間Ｔ３は、蒸気圧力が所定圧力まで低下した時間を示す。即ち、制御部４（第２燃焼指示部４２）は、蒸気圧力が所定圧力まで低下した時間Ｔ３において、２台目のボイラ２０に対して燃焼指示を出す。
【００３９】
その後、時間Ｔ４において、１台目のボイラ２０のプレパージ等が完了し、１台目のボイラ２０が燃焼を開始する。これにより、時間Ｔ５において、蒸気ヘッダ６の内部の蒸気圧力が上昇し始める。この蒸気圧力の上昇に伴い、時間Ｔ６において、制御部４（取消指示部４３）は、２台目のボイラ２０に対する燃焼指示を取り消す。
【００４０】
以上説明した本実施形態のボイラシステム１によれば、以下のような効果を奏する。
【００４１】
（１）本実施形態のボイラシステム１においては、制御部４の第１燃焼指示部４１は、全てのボイラ２０が燃焼停止している状態で、蒸気ヘッダ６の内部の蒸気圧力が圧力Ｐ２（起動圧力）を下回った場合に、最も優先順位の高いボイラ２０（１台目のボイラ２０）に対して燃焼指示を出し、第２燃焼指示部４２は、１台目のボイラ２０に対する燃焼指示の後、第１の時間の間、１台目のボイラ２０による蒸気供給が開始されなかった場合に、次に優先順位の高いボイラ２０（２台目のボイラ２０）に対して燃焼指示を出す。そして、制御部４の取消指示部４３は、２台目のボイラ２０に対する燃焼指示の後に蒸気ヘッダ６の蒸気圧力が上昇し始めた場合に、２台目のボイラ２０に対する燃焼指示を取り消す。
これにより、１台目のボイラ２０に対する燃焼指示から１台目のボイラ２０による蒸気供給が開始されるまでの間（例えば、プレパージ等に要する時間）に、蒸気圧力の低下に伴い２台目のボイラ２０に対して燃焼指示が出された場合であっても、１台目のボイラ２０の蒸気供給の開始に合わせて２台目のボイラ２０に出された燃焼指示を取り消すことができる。その結果、全てのボイラ２０が燃焼を停止するほど要求負荷が小さい状態が継続した場合に、本来不要な２台目のボイラ２０が燃焼してしまうことを防止でき、１台目のボイラ２０のみを燃焼させることで安定的な蒸気供給を行うことができる。
【００４２】
（２）一方、本実施形態のボイラシステム１においては、取消指示部４３は、２台目のボイラ２０に燃焼指示が出された後、第２の時間が経過するまでに蒸気圧力が上昇し始めた場合に、２台目のボイラ２０に対する燃焼指示を取り消す。
これにより、第２の時間が経過した後（例えば、２台目のボイラ２０が既に燃焼開始した後）に、２台目のボイラ２０に対する燃焼指示を取り消すことがなく、２台目のボイラ２０の発停が徒に繰り返されることを防止できる。
【００４３】
以上、本発明のボイラシステム１の好ましい一実施形態につき説明したが、本発明は、上述の実施形態に制限されるものではなく、適宜変更が可能である。
例えば、上記実施形態では、２台目のボイラ２０に対して出された燃焼指示を取り消すこととしているが、これに限られるものではない。即ち、１台目のボイラ２０が蒸気供給可能になるまでの間に、３台目以降のボイラ２０に対して燃焼指示が出された場合には、３台目以降のボイラ２０に対して出された燃焼指示も同様に取り消すことができる。
【００４４】
また、上記実施形態では、複数のボイラ２０を比例制御ボイラにより構成することとしているが、ボイラ２０は比例制御ボイラに限らず、段階値制御ボイラにより構成することとしてもよい。なお、段階値制御ボイラとは、複数の段階的な燃焼位置を有し、燃焼を選択的にオン／オフしたり、炎の大きさを調整したりすること等により燃焼量を制御して、選択された燃焼位置に応じて燃焼量を段階的に増減可能なボイラである。一例として、複数のボイラ２０を、燃焼停止位置、低燃焼位置及び高燃焼位置の３位置を有する３位置ボイラにより、構成することとしてもよい。もちろん、ボイラ２０は、３位置に限らず、任意のＮ位置の燃焼位置を有することとしてもよい。
【００４５】
また、例えば、本実施形態では、本発明を、５台のボイラ２０からなるボイラ群２を備えるボイラシステムに適用したが、これに限らない。即ち、本発明を、６台以上のボイラからなるボイラ群を備えるボイラシステムに適用してもよく、また、２台のボイラからなるボイラ群を備えるボイラシステムに適用してもよい。
【符号の説明】
【００４６】
１  ボイラシステム
２  ボイラ群
２０  ボイラ
３  台数制御装置
４  制御部
４１  第１燃焼指示部
４２  第２燃焼指示部
４３  取消指示部
【図１】
2015140974.tif 000003
【図２】
2015140974.tif 000004
【図３】
2015140974.tif 000005
【図４】
2015140974.tif 000006